(57)【特許請求の範囲】
【請求項１】
複数の縦長単位パネルを床面上に連接接続して形成される間仕切りにおいて、連接接続される単位パネルの内の少なくとも一つを出入口となる開口を形成した単位開口パネルとして構成し、該単位開口パネルは、その両側端が隣接する単位パネルに連結されると共に、前記単位開口パネルと隣接する一方の単位パネルのそれぞれの上部を繋ぐように少なくとも一本のレールを架設し、前記レールにスライド可能に懸吊支持された引戸により前記開口を開閉するよう構成し、前記単位開口パネルは、開口を構成すべく門型に形成された三方枠と、該三方枠の上部に取付けられる枠体とから成り、これら三方枠と枠体の両側端は隣接する単位パネルの両側端に連結され、前記枠体の表裏側には夫々ランマパネルが係止部材を介して取付けられ、前記レールが取付けられる一方のランマパネルの内側に補強部材を取付けて成ることを特徴とする間仕切りにおける引戸構造。
【請求項２】
前記単位開口パネルに隣接する単位パネルの前記レール取付け部には補強部材が設けられている請求項１に記載の間仕切りにおける引戸構造。
【請求項３】
前記レールは、両端が上下に調整可能に支持されて成る請求項１または２に記載の間仕切りにおける引戸構造。
【請求項４】
互いに向き合う単位パネルの上端に連結部材を架設して成る請求項１ないし３のいずれかに記載の間仕切りにおける引戸構造。
【発明の詳細な説明】
【０００１】
【発明の属する技術分野】
本発明は、間仕切りにおける引戸構造に係り、特に複数の単位パネルを床面上に連接接続して構成される間仕切りの少なくとも一つの単位パネルを出入り口として構成した間仕切りにおける引戸構造に関する。
【０００２】
【従来の技術】
従来、この種の間仕切りは、連接した間仕切りを床上に単に設置してあるだけであるので、上縁部ばかりでなく下端縁も自由になっており、間仕切りパネル同士の連結は各パネルの側端面を水平方向に配置したネジ等で結合されている。
【０００３】
【発明が解決しようとする課題】
従って、この種の間仕切りが、図８に示されるように開閉自在なドアパネル（ドア０１とドアパネル０２から成る）を含んでいる場合には、ドア０１の開閉による繰り返し衝撃により、ドアパネルおよび隣接パネル０３が徐々にずれて、間仕切りの適正な配列がずれてしまう問題を有していた。
【０００４】
本発明はこのような問題点を解決するため、間仕切りに開閉自在な出入り口を含んでいても、開閉による繰り返し衝撃に影響されない強度を有し、開閉時に他の障害となることのない間仕切りにおける引戸構造を提供することを目的としている。
【０００５】
【課題を解決するための手段】
上記目的を達成するために、本発明の間仕切りにおける引戸構造は、複数の縦長単位パネルを床面上に連接接続して形成される間仕切りにおいて、連接接続される単位パネルの内の少なくとも一つを出入口となる開口を形成した単位開口パネルとして構成し、該単位開口パネルは、その両側端が隣接する単位パネルに連結されると共に、前記単位開口パネルと隣接する一方の単位パネルのそれぞれの上部を繋ぐように少なくとも一本のレールを架設し、前記レールにスライド可能に懸吊支持された引戸により前記開口を開閉するよう構成し、前記単位開口パネルは、開口を構成すべく門型に形成された三方枠と、該三方枠の上部に取付けられる枠体とから成り、これら三方枠と枠体の両側端は隣接する単位パネルの両側端に連結され、前記枠体の表裏側には夫々ランマパネルが係止部材を介して取付けられ、前記レールが取付けられる一方のランマパネルの内側に補強部材を取付けて成ることを特徴としている。
この特徴によれば、単位開口パネルと隣接する一方の単位パネルのそれぞれの上部を繋ぐように少なくとも一本のレールが架設されているので、単位開口パネルと単位パネルとの接続部が屈曲変形することがなく、常時安定したドアの開閉を可能にする。また、隣接する単位パネルに連結されると共に、枠体に取付けられたランマパネルには補強部材を介してレールが取付けられるので、単位開口パネルの強度が増強され、表裏側にはそれぞれランマパネルが係止部材を介して取付けられるので、ランマパネルの交換作業が容易となる。
【０００７】
本発明の間仕切りにおける引戸構造は、前記単位開口パネルに隣接する単位パネルのレール取付け部には補強部材が設けられていれば好適である。
このようにすることにより、レールは補強部材を介して取り付けられるので、レールを確実に固定することができる。
【０００８】
本発明の間仕切りにおける引戸構造は、前記レールの両端が上下に調整可能に支持されれば好適である。
このようにすることにより、レールの一端を引戸が閉じる方向に下げて傾斜設定することにより引戸を開放しても自重により閉じる方向に移動し、常時閉じる状態を維持することができる。
【０００９】
本発明の間仕切りにおける引戸構造は、互いに向き合う単位パネルの上端に連結部材を架設して成れば好適である。
このようにすることにより、互いに向き合う単位パネル間を立設状態で安定させて保持することができる。
【００１０】
【発明の実施の形態】
以下、本発明の一実施形態を図面に基づいて説明する。図１は間仕切りの一例を示す全体斜視図、図２は引戸構造を示す斜視図、図３は単位開口パネルの枠組みを間仕切りの外側から視た分解斜視図、図４は連結部材を架設した状態を示す斜視図、図５はレールの取付け状態を示す斜視図、図６は図２のＡ−Ａ断面図であり、図７は図２のＢ−Ｂ断面図である。
【００１１】
図１に示されるように、１は間仕切りを示し、この間仕切り１は、複数の縦長単位パネル４ａ、４ｂ、４ｃ…を床面上に連結して形成され、これら連結される単位パネル４ａ、４ｂ、４ｃ…の内の少なくとも一つを出入口２となる開口５を形成して単位開口パネル６が構成される。
【００１２】
この単位開口パネル６は、その両側端が隣接する単位パネル４ａ、４ｂに連結されると共に、その上部が隣接する一方の単位パネル４ａ上部に取付けられたレール７の延出部に取付けられ、このレール７にスライド可能に懸吊支持された引戸１２により開口５を開閉するように構成されている。
【００１３】
さらに詳しくは、前記レール７は、図２及び図５に示されるように、断面コ字型に形成され単位パネル４ａ、４ｂに亘って直線状に延設されるレール部材９と、このレール部材９の上部を全長に亘って囲むように溶接によって一体的に固定されたブラケット８と、このブラケット８及び懸吊ブラケット１４ａ、１４ｂを含めて囲繞するカバーＣとで構成されている。
【００１４】
このブラケット８の両端にはそれぞれ長手方向に対し直交する縦長の長穴１０ａ、１０ｂが形成されており、このブラケット８の一端は単位パネル４ａの上部側面に固定され、他端は後述する単位開口パネル６の上部に固定されている。
【００１５】
そして、このブラケット８の一端は、単位パネル４ａの内部に予め固定されている補強部材１６に前記長穴１０ａ、１０ｂより挿通したビスＢ１、Ｂ２により取付られると共に、その他端は後述するランマパネル２０の内側に予め溶接等で固定されている補強部材１７に取り付けられる。
【００１６】
このレール７は、レール部材９の単位開口パネル６側が１／１００程度の下り傾斜となるよう、ブラケット８が前記長穴１０ａ、１０ｂの範囲内で調整されて取付けられる。
【００１７】
更にこのレール部材９には引戸１２が懸吊支持部Ｈによって懸吊支持されており、この懸吊支持部Ｈは、引戸１２上端の幅方向両端に固定された懸吊ブラケット１４ａ、１４ｂと、この懸吊ブラケット１４ａ、１４ｂの上端に回転自在に軸支された一対のローラ１５ａ、１５ｂとで構成されている。
【００１８】
また、引戸１２は、図１、図２及び図６に示されており、前記開口５が閉塞される大きさのパネル状に形成されており、この引戸１２の下端には床面Ｆに接触可能なゴム状の弾力性を有するシール部材１３が取付けられ、引戸１２の下端と床面Ｆとの間に形成される隙間を閉鎖するようになっている。
【００１９】
次に、単位開口パネル６は、図３に示されるように、開口を構成べく門型に形成された三方枠１８と、該三方枠１８の上部に取付けられる四方枠１９とから成り、これら三方枠１８と四方枠１９の両側端は隣接する単位パネル４ａ、４ｂの両側端に連結され、四方枠１９の表裏側には夫々ランマパネル２０、２１が係止部材Ｋ１、Ｋ２及びＫ３介して取付けられるようになっている。
【００２０】
さらに詳しくは、三方枠１８は、両側端に凹溝が形成されており、この凹溝に高さ調整可能な一対の連結支柱２２ａ、２２ｂが挿嵌支持され、一方、単位パネル４ａ、４ｂの上端及び両側端には、やはり凹溝が形成されており、単位パネル４ａ、４ｂの対向する側端の凹溝に、前記三方枠１８の両側端に挿嵌支持された連結支柱２２ａ、２２ｂが挿嵌されるように構成されている。
【００２１】
また、四方枠１９は四角状の枠体として構成され、この枠体の両側にはそれぞれ係止片２５ａ、２５ｂが突設され、下枠の上部には上方が開いたコ字型の係止部材Ｋ３が所定長さに亘って溶接等により固定されている。
【００２２】
そして、四方枠１９の表裏に取り付けられる両ランマパネル２０、２１は、対向する内側が対称構造となっており、両ランマパネル２０、２１の内側上下より水平に突設した係止部材Ｋ１、Ｋ２、Ｋ３が四方枠１９の上枠上端にビスを介して取付けられ、下部の係止部材Ｋ２は下枠上部に固定されたコ字型の係止部材Ｋ３に係止されるようになっている。
【００２３】
更に両ランマパネル２０、２１の内、間仕切りの内側に取付けられる一方のランマパネル２０は、内面に断面Ｌ字型に形成された補強部材１７が溶接等で固定されており、レール７を構成するブラケット８他端の取付部を補強するようになっている。
【００２４】
このようにして、複数の縦長単位パネル４ａ、４ｂ、４ｃ及び４ｄを床面Ｆ上に連接接続して間仕切りが形成されると、これら間仕切りの互いに向き合う単位パネル４ｂ、４ｄの上端に連結部材３が架設される。
【００２５】
次に、間仕切りに出入口を構成する単位開口パネル及びレールの組立手順につき説明する。先ず、三方枠１８の両側端に形成されるには凹溝には、高さ調整可能な一対の連結支柱２２ａ、２２ｂが三方枠１８の上端より上方に突出させた状態で挿嵌支持され、ビス（例えばタッピングスクリュー）を介して固定される。そして三方枠１８は、対向する単位パネル４ａ、４ｂ側端の凹溝に連結支柱２２ａ、２２ｂを挿嵌させることにより連結接合される。
【００２６】
次に、三方枠１８上端には、前述と同様にして四方枠１９が連結される。詳細は図示しないが、四方枠１９は、三方枠１８上端に形成された凹溝に挿嵌保持された図示しない断面角形の連結部材が四方枠１９下部の凹溝に挿嵌させて連結支持され、同時に四方枠１９両端の係止片２５ａ、２５ｂを三方枠１８上方に突設する両連結支柱２２ａ、２２ｂの対向する側端の図示しない係止穴に係止して保持される。
【００２７】
このようにすることにより、単位開口パネル６と隣接する一方の単位パネル４ａのそれぞれの上部を繋ぐように少なくとも一本のレール７が架設されているので、単位開口パネル６と単位パネル４ａとの接続部が屈曲変形することがなく、常時安定したドアの開閉を可能にすることができる。
【００２８】
次に、補強部材１７を取付けたランマパネル２０は四方枠１９の内側に、また外側には化粧板を兼ねるランマパネル２１が取付けられるが、これら両ランマパネル２０、２１は、上方の係止部材Ｋ１を四方枠１９の上枠上部に当接させると共に、ランマパネル２０、２１下方の係止部材Ｋ２を、下枠上部に固定されているコ字型の係止部材Ｋ３に係止させて位置決めした上で上方係止部材Ｋ１をビスにより固定し、単位開口パネル６が組み立てられる。
【００２９】
このようにすることにより、隣接する単位パネル４ａ、４ｂに連結されると共に、四方枠１９に取付けられたランマパネル２０には補強部材１７を介してレール７が取付けられるので、単位開口パネル６の強度が増強される。更に、表裏側にはそれぞれランマパネル２０、２１が係止部材Ｋ１、Ｋ２、Ｋ３を介して取付けられるので、ランマパネル２０、２１の交換作業が容易となる。
【００３０】
次に、出入り口２の両側の一方の単位パネル４ａ上方の内部に設けられた補強部材１６にレール７の一端がブラケット８の一方の長穴１０ａを挿通したビスＢ１により支持されると共に、その他端が単位開口パネル６上方のランマパネル２０の補強部材１７に他方の長穴１０ｂを挿通したビスＢ２により支持される。
【００３１】
この場合、レール７は、レール部材９の単位開口パネル６側が１／１００程度の下り傾斜となるよう、ブラケット８が前記長穴１０ａ、１０ｂの範囲内で調整された上でビスＢ１、Ｂ２により固定して取付けられる。
【００３２】
このように、レール７は補強部材１６、１７を介して固定されるので、レール７を確実に固定することができ、レール７の一端を引戸１２が閉じる方向に下げて傾斜設定されることにより引戸１２を開放しても自重により閉じる方向に移動し、常時閉じる状態を維持することができる。
【００３３】
次に、互いに向き合う単位パネル４ｂ、４ｄの上端に連結部材３を架設し、最後に、引戸１２底部の床面Ｆとの間に形成される隙間を閉塞するためのシール部材１３を取付け、レール部材９に引戸１２のローラ１５ａ、１５ｂを転動可能に係止させることにより、該引戸１２がレール部材に９に沿ってスライド可能に支持され、引戸１２は、自重によって常時閉塞される方向に移動可能となっている。
【００３４】
このようにすることにより、互いに向き合う単位パネル４ｂ、４ｄ間に連結部材３を架設することにより、立設状態でも安定させて保持することができる。
【００３５】
また、出入り口２は、レール７にスライド可能に懸吊支持される引戸構造となっているので、従来の前後に開閉するドア構造のように開閉時に他の障害となることがない。
【００３６】
【発明の効果】
本発明は次の効果を奏する。
【００３７】
（ａ）請求項１の発明によれば、単位開口パネルと隣接する一方の単位パネルのそれぞれの上部を繋ぐように少なくとも一本のレールが架設されているので、単位開口パネルと単位パネルとの接続部が屈曲変形することがなく、常時安定したドアの開閉を可能にする。また、隣接する単位パネルに連結されると共に、枠体に取付けられたランマパネルには補強部材を介してレールが取付けられるので、単位開口パネルの強度が増強され、表裏側にはそれぞれランマパネルが係止部材を介して取付けられるので、ランマパネルの交換作業が容易となる。
【００３９】
（ｂ）請求項２の発明によれば、レールは補強部材を介して取り付けられるので、レールを確実に固定することができる。
【００４０】
（ｃ）請求項３の発明によれば、レールの一端を引戸が閉じる方向に下げて傾斜設定することにより引戸を開放しても自重により閉じる方向に移動し、常時閉じる状態を維持することができる。
【００４１】
（ｄ）請求項４の発明によれば、互いに向き合う単位パネル間を立設状態に安定させて保持することができる。
【００４２】
【図面の簡単な説明】
【図１】本発明の一実施形態としての間仕切りの一例を示す全体斜視図である。
【図２】引戸構造を示す斜視図である。
【図３】単位開口パネルの枠組みを間仕切りの外側から視た分解斜視図である。
【図４】連結部材を架設した状態を示す斜視図である。
【図５】レールの取付け状態を示す斜視図である。
【図６】図２のＡ−Ａ断面図である。
【図７】図２のＢ−Ｂ断面図である。
【図８】従来の間仕切りにおけるドア構造を示す斜視図である。
【符号の説明】
１                    間仕切り
２                    出入口
３                    連結部材
４ａ、４ｂ、４ｃ、４ｄ単位パネル
５                    開口
６                    単位開口パネル
７                    レール
８                    ブラケット
９                    レール部材
１０ａ、１０ｂ        長穴
１２                  引戸
１３                  シール部材
１４ａ、１４ｂ        懸吊ブラケット
１５ａ、１５ｂ        ローラ
１７                  補強部材
１８                  三方枠
１９                  四方枠
２０、２１            ランマパネル
２２ａ、２２ｂ        連結支柱
２５ａ、２５ｂ        係止片
Ｃ                    カバー
Ｂ１、Ｂ２            ビス
Ｆ                    床面
Ｈ                    懸吊支持部
Ｋ１、Ｋ２、Ｋ３      係止部材
【図１】
0003927683.tif 000002
【図２】
0003927683.tif 000003
【図３】
0003927683.tif 000004
【図４】
0003927683.tif 000005
【図５】
0003927683.tif 000006
【図６】
0003927683.tif 000007
【図７】
0003927683.tif 000008
【図８】
0003927683.tif 000009